(57)【要約】【課題】本発明は、ブドウ糖液等の液状物を体内に供給し、又は血液等を体外に導出する管の先端部の位置を容易に確認し、安全に供給、又は導出することができる管先端位置確認装置を得ることを課題とする。【解決手段】本発明の管先端位置確認装置１は、体内に挿入されて管２の先端部３に導光する導光部４と、導光部４の先端５側に設けられて体内に光を照射する照射部６と、導光部４に光を供給する発光部７と、発光部７の発光を制御する制御部８とを備えるという構成を有する。【選択図】図１
2013198644.tif 000002
【特許請求の範囲】
【請求項１】
液状物を体内に供給し又は体外に導出する管の先端部の位置を確認するための管先端位置確認装置であって、
体内に挿入されて前記管の先端部に導光する導光部と、前記導光部の先端側に設けられて体内に光を照射する照射部と、前記導光部に光を供給する発光部と、該発光部の発光を制御する制御部とを備えることを特徴とする管先端位置確認装置。
【請求項２】
前記照射部は、前記管における径方向の配光を有するように光を制御する光制御部を備えることを特徴とする請求項１に記載の管先端位置確認装置。
【請求項３】
前記発光部は、瞬間光を発光することを特徴とする請求項１又は請求項２に記載の管先端位置確認装置。
【請求項４】
前記発光部は、閃光放電管を備えることを特徴とする請求項３に記載の管先端位置確認装置。
【請求項５】
前記発光部は、少なくとも６００ｎｍ以上６５０ｎｍ未満の波長の光を発光することを特徴とする請求項１〜請求項４のいずれか１項に記載の管先端位置確認装置。
【請求項６】
前記管の先端部から体内に照射された光を体外から撮影するための撮像装置を更に備え、前記発光部は、少なくとも６００ｎｍ以上１１００ｎｍ未満の波長の光を発光し、前記撮像装置は、前記発光部の発光と同期して撮影可能であることを特徴とする請求項１〜請求項４のいずれか１項に記載の管先端位置確認装置。
【請求項７】
前記撮像装置は、体内に挿入された前記管の先端部を体外から動画又は静止画で撮影可能な撮影部と、該動画又は該静止画を保存可能な記憶部とを備えることを特徴とする請求項６に記載の管先端位置確認装置。
【請求項８】
前記撮像装置は、撮影された前記動画又は前記静止画を保存するか否かを選択可能な選択部を備え、前記選択部は、前記動画又は前記静止画を保存しない旨の選択がされたときに該動画又は該静止画を消去することを特徴とする請求項７に記載の管先端位置確認装置。
【請求項９】
前記導光部は、光ファイバであることを特徴とする請求項１〜請求項８のいずれか１項に記載の管先端位置確認装置。
【請求項１０】
前記導光部は、前記管の内壁部に設けられていることを特徴とする請求項１〜請求項８のいずれか１項に記載の管先端位置確認装置。
【請求項１１】
前記導光部は、前記管に注入される液状導光物と、前記管の内壁部に設けられる反射層とで構成されることを特徴とする請求項１〜請求項８のいずれか１項に記載の管先端位置確認装置。
【請求項１２】
前記導光部は、前記管に注入される液状導光物と、該液状導光物の屈折率と比べて小さい屈折率の樹脂からなる前記管の内壁部とで構成されることを特徴とする請求項１〜請求項８のいずれか１項に記載の管先端位置確認装置。
【請求項１３】
前記樹脂は、フッ素樹脂であることを特徴とする請求項１２に記載の管先端位置確認装置。
【請求項１４】
前記照射部は、前記液状導光物の屈折率と比べて大きい屈折率の材料であることを特徴とする請求項１１〜請求項１３のいずれか１項に記載の管先端位置確認装置。
【請求項１５】
前記管の内壁部における先端側の屈折率は、前記液状導光物の屈折率よりも大きいことを特徴とする請求項１１〜請求項１３のいずれか１項に記載の管先端位置確認装置。
【発明の詳細な説明】
【技術分野】
【０００１】
本発明は、液状物を体内に供給する供給管又は体外に導出する導出管の先端部の位置を確認するための管先端位置確認装置に関する。
【背景技術】
【０００２】
従来から、衰弱した高齢者やがん患者などが口から食事を摂れなくなった場合において、栄養物などの液状物を体内に供給するための供給管として、特許文献１に記載されているような栄養補給チューブや特許文献２に記載されているようなカテーテルなどがある。
【０００３】
これらの供給管には、体内に挿入されたあと、その先端の位置が体内の目的の位置に達したかどうかを確認するための装置が設けられている。
【０００４】
例えば、特許文献１に記載されている栄養補給チューブには、該栄養補給チューブに挿入可能な挿入細紐が設けられている。この挿入細紐の先端には、胃液で変色するリトマス紙が付設されている。この挿入細紐を挿入した状態で栄養補給チューブを患者の胃の中に通す。そして、その挿入細紐の先端を栄養補給チューブの先端から体内に突出させ、リトマス紙を体内の部位に接触させ、反応させる。その後、その挿入細紐を引き抜いた時にリトマス紙が変色しているか否かで、栄養補給チューブが胃の中に達しているか否かを判定する。
【０００５】
また、特許文献２に記載されているカテーテルには、その先端に信号エネルギーを発信するコイルが備えられている。そのコイルから発信されてくる信号エネルギーを受信することにより、そのカテーテルの先端の位置が確認される。
【先行技術文献】
【特許文献】
【０００６】
【特許文献１】特開２０１０−０９４３８４号公報
【特許文献２】特開２０１１−０４５７２６号公報
【発明の概要】
【発明が解決しようとする課題】
【０００７】
しかし、特許文献１に記載されている装置では、リトマス紙が変色した色から、先端部がアルカリ性を有する部位にあるのか、それとも、酸性を有する部位にあるのかを判定できるだけであり、その部位の中のどの位置に先端部があるのかを明確に確認することができなかった。
【０００８】
また、特許文献２に記載されている装置では、先端にあるコイルが発信する信号エネルギーを受信するための設備が大きく、その操作性も悪いため、その操作に高度の習熟が必要となる。
【０００９】
本発明は、かかる事情に鑑み、液状物を体内に供給し又は体外に導出する管の先端部の位置を容易に確認することができる管先端位置確認装置を提供することを目的とする。
【課題を解決するための手段】
【００１０】
本発明の管先端位置確認装置は、液状物を体内に供給し又は体外に導出する管の先端部の位置を確認するための管先端位置確認装置であって、体内に挿入されて前記管の先端部に導光する導光部と、前記導光部の先端側に設けられて体内に光を照射する照射部と、前記導光部に光を供給する発光部と、該発光部の発光を制御する制御部とを備えるという構成を有している。
【００１１】
かかる構成によれば、導光部が体内に挿入された管の先端部まで光を導き、その先端側に設けられている照射部から体内に光を照射できるように体内に配置できる。そして、制御部が発光部を発光させることにより、光が導光部によって照射部に導かれて該照射部から体内に照射される。そして、その光は、体を透過して、体外に漏れ出る。その光は、体外から容易に視認することができる。その光が漏れ出ている位置がその管の先端部の位置であるため、管の先端部の位置は、このような簡単な操作で容易に確認することができる。
【００１２】
また、請求項２記載の発明において、前記照射部は、前記管における径方向の配光を有するように光を制御する光制御部を備えることが好ましい。
【００１３】
かかる構成によれば、管の先端部に導かれて管の先端部から体内に照射される光が径方向に配光されるため、体内で管を直進させている方向に対して先端部から管の径方向に光が配光されて、光が体外に漏れ出る。そのため、その光が漏れ出ている位置が体内に管を直進させている方向における管の先端部に当たる。よって、光制御部によって管の先端部の位置が正確に確認することができる。
【００１４】
また、請求項３記載の発明において、前記発光部は、瞬間光を発光することが好ましい。
【００１５】
かかる構成によれば、光量を上げても生体に対する熱による影響が少ない。よって、体内に照射する光量を容易に増やすことができ、体外に出る光量が増加するため、その管の先端部の位置を確認しやすくなる。
【００１６】
また、請求項４記載の発明において、前記発光部は、閃光放電管を備えることが好ましい。
【００１７】
かかる構成によれば、閃光放電管の波長が連続的で広範囲であるため、この波長の範囲から任意の波長を選択することができるようになる。
【００１８】
また、請求項５記載の発明において、前記発光部は、少なくとも６００ｎｍ以上６５０ｎｍ未満の波長の光を発光することが好ましい。
【００１９】
かかる構成によれば、発光部は、体内に６００ｎｍ以上６５０ｎｍ未満の波長の光を照射する。そのため、体内で照射される光は、体を透過しやすく、人が目視するのに適している。この光によって、体外からその管の先端部の位置を容易に確認することができる。更には、生体への影響も少なくすることができる。
【００２０】
また、請求項６記載の発明において、前記管の先端部から体内に照射された光を体外から撮影するための撮像装置を更に備え、前記発光部は、少なくとも６００ｎｍ以上１１００ｎｍ未満の波長の光を発光し、前記撮像装置は、前記発光部の発光と同期して撮影可能であることが好ましい。
【００２１】
かかる構成によれば、発光部は、体内に６００ｎｍ以上１１００ｎｍ未満の波長の光を照射する。そのため、体内で照射される光は、体を透過しやすく、撮像装置による撮影に適している。この光によって、体外からその管の先端部の位置を容易に確認することができる。更には、生体への影響も少なくすることができる。
【００２２】
また、請求項７記載の発明において、前記撮像装置は、体内に挿入された前記管の先端部を体外から動画で撮影し又は静止画で撮影可能な撮影部と、該動画又は該静止画を保存可能な記憶部とを備えることが好ましい。
【００２３】
かかる構成によれば、その管の先端部の位置を撮像装置で確認することができるとともに、その位置を記録することができる。
【００２４】
また、請求項８記載の発明において、前記撮像装置は、撮影された前記動画又は前記静止画を保存するか否かを選択可能な選択部を備え、前記選択部は、前記動画又は前記静止画を保存しない旨の選択がされたときに該動画又は該静止画を消去することが好ましい。
【００２５】
かかる構成によれば、撮像装置が撮影した動画又は静止画を必要に応じてその記録を選択することができ、その保存の必要のない動画又は静止画を消去して、その保存のための容量を減らすことができる。また、そのため、記憶容量を下げることができるため、撮像装置を小型化することができる。
【００２６】
また、請求項９記載の発明において、前記導光部は、光ファイバであることが好ましい。
【００２７】
かかる構成によれば、導光部を管の先端部に光を安定して照射部に導きやすくなるとともに、管の先端部の位置を確認し終えて液状物を体内に供給し又は体外に導出するために、導光部を管から抜き取りやすくなっている。
【００２８】
また、請求項１０記載の発明において、前記導光部は、前記管の内壁部に設けられていることが好ましい。
【００２９】
かかる構成によれば、管の先端部の位置を確認し終えて液状物を体内に供給し又は体外に導出するために、導光部を抜き取ることが不要となる。
【００３０】
また、請求項１１記載の発明において、前記導光部は、前記管に注入される液状導光物と、前記管の内壁部に設けられる反射層とで構成されることが好ましい。
【００３１】
かかる構成によれば、管に液状導光物を注入することにより管の内側に導光部が形成される。つまり、管に供給される光は、管の内壁部の反射層を反射しつつ、液状導光物を伝って先端部に導かれる。そして、管の先端部の位置を確認し終えると、液状導光物をそのまま体内に残したまま、続けて液状物を体内に供給し又は体外に導出することができるため、導光部を抜き取ることが不要となる。
【００３２】
また、請求項１２記載の発明において、前記導光部は、前記管に注入される液状導光物と、該液状導光物の屈折率と比べて小さい屈折率の樹脂からなる前記管の内壁部とで構成されることが好ましい。
【００３３】
かかる構成によれば、管に液状導光物を注入することにより管の内側に導光部が形成される。つまり、管に供給される光は、液状導光物の屈折率より小さい屈折率の樹脂の界面で反射しつつ、液状導光物を伝って先端部に導かれる。そして、管の先端部の位置を確認し終えると、液状導光物をそのまま体内に残したまま、続けて液状物を体内に供給し又は体外に導出することができるため、導光部を抜き取ることが不要となる。
【００３４】
また、請求項１３記載の発明において、前記樹脂は、フッ素樹脂であることが好ましい。
【００３５】
かかる構成によれば、生体への影響を下げることが容易となる。
【００３６】
また、請求項１４記載の発明において、前記照射部は、前記液状導光物の屈折率と比べて大きい屈折率の材料であることが好ましい。
【００３７】
かかる構成によれば、照射部が導光部を導かれてきた光を管の径方向に反射させ、光が直進する方向に透過しないように制御しやすくなり、光を管の径方向に正確に配光させることができるため、その先端部の位置の確認が容易となる。
【００３８】
また、請求項１５記載の発明において、前記管の内壁部における先端側の屈折率は、前記液状導光物の屈折率よりも大きいことが好ましい。
【００３９】
かかる構成によれば、管に液状導光物を注入することにより、導光部を導かれてきた光は、管の内壁部の先端側の、液状導光物よりも屈折率の大きい部分で管の径方向に屈折する。そして、この光は、管の先端部を透過して体内に照射される。つまり、この液状導光物よりも屈折率の大きい部分は、光照射部として機能する。管の内壁部に反射されつつ液状導光物を伝ってきた光は、その管の先端側において、液状導光部から管に入射する角度より径方向に屈折する。そのため、光を管の径方向に配光させることができるため、その先端部の位置の確認が容易となる。
【発明の効果】
【００４０】
本発明の管先端位置確認装置によれば、液状物を体内に供給し又は体外に導出する管の先端部の位置を容易に確認することができる。
【図面の簡単な説明】
【００４１】
【図１】本発明の第１の実施形態に係る管先端位置確認装置の全体概観図
【図２】（ａ）同実施形態に係る管先端位置確認装置の、体内に挿入する挿入部分における先端部側の拡大斜視図、（ｂ）同実施形態に係る管先端位置確認装置の挿入部分における先端側の拡大断面図、（ｃ）同実施形態に係る管先端位置確認装置の挿入部分における先端部側の光路を示す図
【図３】（ａ）同実施形態に係る管先端位置確認装置の挿入部分における基端側の拡大外観図、（ｂ）同実施形態に係る管先端位置確認装置における筐体の拡大斜視図
【図４】（ａ）第２の実施形態に係る管先端位置確認装置の撮像装置における正面側の斜視図、（ｂ）同実施形態に係る管先端位置確認装置の撮像装置における背面側の斜視図
【図５】同実施形態に係る管先端位置確認装置の構成を示すブロック図
【図６】（ａ）別の実施形態に係る管先端位置確認装置の挿入部分における中途部の拡大断面図、（ｂ）更に別の実施形態に係る管先端位置確認装置の挿入部分における中途部の拡大断面図、（ｃ）更に別の実施形態に係る管先端位置確認装置の挿入部分における先端部の拡大断面図
【発明を実施するための形態】
【００４２】
本発明の第１の実施形態に係る管先端位置確認装置について、図１〜図３を参酌しつつ、説明する。同実施形態に係る管先端位置確認装置１は、図１に示すように、液状物を体内に供給し又は体外に導出する管２の先端部３の位置を確認するために設けられている。例えば、管先端位置確認装置１が対象とする管２には、栄養物や薬液などの液状物を体内に供給する供給管や、尿や血液などの液状物を体外に導出する導出管などがある。管先端位置確認装置１は、管２から取り外し可能に構成されている。以下、管２が栄養物を体内に供給する供給管２であるものとして説明する。
【００４３】
管先端位置確認装置１は、図１に示すように、体内に挿入される供給管２の先端部３まで導光する導光部４と、導光部４の先端５側に設けられて体内で光を照射可能な照射部６と、導光部４に光を供給するために発光する発光部７と、発光部７の発光を制御する制御部８と、該発光部７及び制御部８を収納する筺体９とを備える。
【００４４】
導光部４は、可とう性を有する長尺状の棒材であり、供給管２の先端部３から他方の基端部１０までの長さ以上の長さを有する。導光部４は、図２（ａ）〜図２（ｃ）に示すように、供給管２の内径に略等しい内径を有する円形の断面を有する。導光部４は、その長手方向Ａに光の透過性を有する。導光部４は、具体的には、光ファイバである。導光部４の基端（図３（ａ）参照）１１側は、筺体９に接続される。導光部４の先端５側は、供給管２の先端部５から突出される部分である。導光部４は、基端１１から先端５に向かって光を導く。
【００４５】
照射部６は、供給管２における径方向Ｂの配光を有するように光を制御する光制御部１２を備える。光制御部１２は、図２（ｃ）に示すように、導光部４の先端部３側から導光される光を径方向（略径方向を含む）Ｂに案内する。具体的には、光制御部１２は、径方向Ｂに光を反射する。つまり、光制御部１２は、導光部４の先端５に位置し、その長手方向Ａから進入する光を径方向Ｂに反射するような角度で傾斜させた面を有する。光制御部１２は、導光部４の径方向Ｂの略中心の位置から長手方向先端５側に行くにつれて径方向Ｂの外側に向かうような形状をしている。つまり、光制御部１２は、略円錐状をしている。光制御部１２は、導光部４の先端５側から進入する光に略円錐状の頂点部分が対向するように位置している。
【００４６】
発光部７は、瞬間光を発光することが好ましい。発光部７は、具体的には、閃光放電管を備える。発光部７は、少なくとも６００ｎｍ以上６５０ｎｍ未満の波長の光を含んで発光することが好ましい。この場合６００ｎｍ以上６５０ｎｍ未満の波長の光が全体の１／２以上のエネルギーであることが望ましい。なお、発光部７は、閃光放電管に制限されるものではなく、キセノン放電管や高輝度ＬＥＤであってもよい。
【００４７】
制御部８は、図１に示すように、発光部７を発光させる点灯スイッチである操作部１３と、発光部７の発光を制御する発光制御回路１４とを備える。制御部８は、操作部１３を操作すると、発光信号が発光制御回路１４に入力されて、発光部７を発光させる。
【００４８】
筺体９は、図１又は図３（ｂ）に示すように、導光部４の基端（図３（ｂ）参照）１１を接続可能な接続部１５と、内部に発光部７及び制御部８を収納する空間を有する筺体本体１６とを備える。
【００４９】
接続部１５は、発光部７から発光される光を導光部４の基端１１で受光する光コネクタとして機能する。接続部１５は、導光部４の基端１１側のみを接続可能に構成されていてもよいが、本実施形態では、供給管２の基端１０側も接続されるように構成されている。接続部１５は、具体的には、供給管２を嵌め込み可能な穴であり、穴の形状が略円柱状をしている。
【００５０】
筺体本体１６は、外形が円柱状に形成されており、操作者が把持する部分でもある。
【００５１】
次に、本実施形態に係る管先端位置確認装置１による供給管２の先端部３の位置の確認方法について、図１〜図３を参酌しつつ、説明する。
【００５２】
まず、供給管２が体内の胃の中に挿入される。このとき、導光部４は、供給管２に既に挿入されていてもよいし、供給管２を体内に挿入した後に該供給管２に挿入されてもよい。導光部４は、供給管２の先端部３側からその先端５が突出するまで挿入されている。そして、照射部６が供給管２の先端部３側から突出した状態となり、供給管２から体内に突出した状態となっている。
【００５３】
この状態となったあと、供給管２の基端部１０（及び導光部４の基端１１）を筐体２０の接続部１５に接続する。そして、操作部１３を操作して、発光部７を発光させる。発光部７から発光された光は、導光部４に導光されて照射部６に達する。そして、光制御部１２で径方向Ｂに光を屈折させて、体内に照射する。この光は、体を透過して体外から目視できる。そして、その光が透過している位置が供給管２の先端部３の位置と判断する。
【００５４】
このようにして、導光部４が体内に挿入された供給管２の先端部３まで光を導き、その先端５側に設けられている照射部６から体内に光を照射できるように体内に配置できる。そして、制御部８が発光部７を発光させることにより、光が導光部４によって照射部６に導かれて照射部６から体内に照射される。そして、その光は、体を透過して、体外に漏れ出る。その光は、体外から容易に視認することができる。その光が漏れ出ている位置がその供給管２の先端部３の位置であるため、供給管２の先端部３の位置は、このような簡単な操作で容易に確認することができる。
【００５５】
また、供給管２の先端部３に導かれて供給管２の先端部３から体内に照射される光が径方向Ｂに配光されるため、体内で供給管２を直進させている長手方向Ａに対して先端部３から供給管２の径方向Ｂに光が配光されて、光が体外に放出される。そのため、その光が放出されている位置が体内に供給管２を直進させている長手方向Ａにおける供給管２の先端部３に当たる。光制御部１２による径方向Ｂの配光がない場合、導光部４によって先端部に達した光の一部は、そのまま供給管２の長手方向Ａに直進して、先端部３と対向する体の部位を透過して体外に放出されてしまい、光が分散される。よって、光制御部１２によって供給管２の先端部３の位置が更に正確に確認することができる。
【００５６】
また、体内で発光する光として瞬間光を用いることにより、高い光量を体内に照射しても体内が過度に加温・加熱されることはなく、熱による影響が少ない。よって、体内に照射する光量を容易に増やすことができ、体外に出る光量が増加するため、その供給管２の先端部３の位置を確認しやすくなる。
【００５７】
また、閃光放電管の波長が連続的で広範囲であるため、この波長の範囲から体外から光を観測する手段に合わせて任意の波長を選択することができるようになる。
【００５８】
また、発光部７は、体内に６００ｎｍ以上６５０ｎｍ未満の波長の光を照射する。体内で照射される光は、体を透過しやすく、人が目視するのに適している。この光によって、体外からその供給管２の先端部負荷３の位置を容易に確認することができる。更には、生体への影響も少なくすることができる。
【００５９】
また、導光部４が供給管２の先端部３に光を安定して照射部６に導きやすくなる。そして、供給管２の先端部３の位置を確認し終えて栄養物を体内に供給するために、導光部４を供給管２から抜き取りやすくなっている。
【００６０】
次に、本発明の第２の実施形態に係る管先端位置確認装置１７について、図４及び図５を参酌しつつ、説明する。なお、本実施形態に係る各構成の説明について、第１の実施形態に係る構成と同じ構成については、同じ符号を付して、その説明は繰り返さないものとする。
【００６１】
管先端位置確認装置１７は、体内に挿入される供給管２の先端部３まで導光する導光部４と、導光部４の先端５側に設けられて体内で光を照射可能な照射部６と、導光部４に光を供給するために発光する発光部１８と、発光部１８の発光を制御する制御部８と、供給管２の先端部３から体内に照射された光を体外から撮影するための撮像装置１９と、該発光部１８、制御部８及び撮像装置１９を収納する筺体２０とを備える。
【００６２】
発光部１８も第１実施形態に係る発光部７と同様の閃光放電管である。発光部１８は、少なくとも６００ｎｍ以上１１００ｎｍ未満の波長の光を含んで発光する。この場合６００ｎｍ以上１１００ｎｍ未満の波長の光が全体の１／２以上のエネルギーであることが望ましい。
【００６３】
撮像装置１９は、発光部１８の発光と同期して撮影可能に構成されている。撮像装置１９は、体内に挿入された管２の先端部３を体外から動画形式で撮影し又は静止画形式で撮影可能な撮影部２１と、該撮影部２１が撮影した動画又は静止画を画像処理する画像処理部２２と、該動画又は該静止画を保存可能な記憶部２３と、撮影された動画又は静止画を保存するか否かを選択可能な選択部２４と、撮影部２１で撮影された動画又は静止画を表示する液晶の表示部２５とを備える。
【００６４】
撮影部２１は、レンズにより被写体像を撮像素子の受光面に結像させ、撮像素子により被写体像を画像信号に変換する。
【００６５】
画像処理部２２は、撮影部２１より出力された被写体像の画像信号に対して、ディジタル変換等の信号処理を施す。画像処理部２２において処理された画像信号は、ＣＰＵの制御に基づいて記憶部２３又は表示部２５に出力される。
【００６６】
記憶部２３は、画像データの一時記憶領域として利用するとともに、撮像した動画又は静止画を取り貯めておくための記憶領域としても利用される。
【００６７】
選択部２４は、動画又は静止画を保存しない旨の選択がされたときに該動画又は該静止画を消去する。
【００６８】
表示部２５は、筐体２０の裏面側に設けられており、撮像された動画又は静止画を表示して確認することができるようになっている。
【００６９】
筐体２０は、導光部４の基端１１を接続可能な接続部１５と、内部に発光部１８、制御部８及び撮像装置１９を収納する空間を有する筐体本体２６とを備える。
【００７０】
次に、本実施形態に係る管先端位置確認装置１７による供給管２の先端部３の位置の確認方法について、図４及び図５を参酌しつつ、説明する。
【００７１】
まず、第１の実施形態に係る管先端位置確認装置１と同様に、供給管２が体内の胃の中に挿入され、さらに、導光部４が供給管２の先端部３側からその先端５が突出するまで挿入される。
【００７２】
この状態となったあと、供給管２の基端部１０（及び導光部４の基端１１）を筐体２０の接続部１５に接続する。そして、撮像装置１９の撮影部２１（のレンズ）を供給管２の先端部３があるであろう患者の部位に向けた状態で、操作部１３を操作する。この操作部１３が操作されることによって、発光部１８が発光して、体内に光を照射する。この光は、体を透過して体外に漏れ出る。
【００７３】
一方、撮像装置１９は、この発光部１８の発光のタイミングに同期して撮影部２１で撮影を開始する。すると、体を透過して体内から体外に漏れ出た光を撮影することができる。そして、その撮影された患者の部位とその光は、表示部２５に表示される。そして、その光が透過している位置が供給管２の先端部３の位置と判断する。
【００７４】
このようにして、発光部７は、体内に６００ｎｍ以上１１００ｎｍ未満の波長の光を照射する。そのため、体内で照射される光は、体を透過しやすく、撮像装置１９による撮影に適している。よって、体外からその供給管２の先端部３の位置を容易に確認することができる。更には、生体への影響も少なくすることができる。
【００７５】
また、その供給管２の先端部３の位置を撮像装置１９で確認することができるとともに、その位置を記録することができる。
【００７６】
また、撮像装置１９が撮影した動画又は静止画を必要に応じてその記録を選択することができ、その保存の必要のない動画又は静止画を消去して、その保存のための容量を減らすことができる。また、記憶容量を下げることができるため、撮像装置１９を小型化することができる。
【００７７】
なお、本発明に係る管先端位置確認装置１，１７は、上記実施形態に限定されるものではなく、本発明の要旨を逸脱しない範囲内において種々変更を加え得ることは勿論である。
【００７８】
上記実施形態に係る管先端位置確認装置１，１７は、導光部４が供給管２に対して取り外し可能である例を説明したが、これに限定されるものではない。例えば、図６（ａ）に示すように、導光部２７は、管２８の内壁部２９に設けられていてもよい。管２８は、内壁部２９より内側に液状物を供給可能な供給路３０を備える。このようにすれば、管２８には、導光する導光部２７と液状物を供給する供給路３０とが常時設けられているため、管２８の先端部の位置を確認し終えたあとに、導光部２７を抜き取ることが不要となる。更には、管２８の先端部の位置を確認し終えたあとすぐに液状物を体内に供給することができるようにもなる。
【００７９】
また、図６（ｂ）に示すように、管３１の内壁部は、該管３１内に発光される光を反射する反射層３２を備え、導光部３３は、この反射層３２と、管３１に注入される液状導光物３４とで構成されることが好ましい。なお、液状導光物３４は、ブドウ糖液などであって、体内に残存させても人体に影響のない又は少ないものである。このようにしても、管３１に液状導光物３４を注入することにより管３１の内側に導光部３３が形成される。つまり、管３１の先端部の位置を確認するときだけ、管３１に液状導光物３４を注入すれば、管３１に供給される光は、管３１の内壁部の反射層３２を反射しつつ、液状導光物３４を伝って先端部３に導かれる。そして、その光は、照射部から体内に照射され、体外に光を放出させることができるようになっている。管３１の先端部３の位置を確認し終えると、液状導光物３４をそのまま体内に残したまま、続けて液状物を体内に供給し又は体外に導出することができるため、導光部３３を抜き取ることが不要となる。
【００８０】
また、管３１の内壁部は、液状物の屈折率と比べて小さい屈折率の樹脂３５であり、導光部３３は、この樹脂３５と、管３１に注入される液状導光物３４とで構成されるようにしてもよい。このようにしても、管３１に液状導光物３４を注入することにより管３１の内側に導光部３３が形成される。つまり、管３１の先端部の位置を確認するときだけ、管３１に液状導光物３４を注入すれば、管３１に供給される光は、液状導光物３４の屈折率より小さい屈折率の樹脂３５の界面で反射しつつ、液状導光物３４を伝って先端部３に導かれる。そして、その光は、照射部から体内に照射され、体外に光を放出させることができるようになっている。管３１の先端部３の位置を確認し終えると、液状導光物３４をそのまま体内に残したまま、続けて液状物を体内に供給し又は体外に導出することができるため、導光部３３を抜き取ることが不要となる。更に、樹脂３５をフッ素樹脂とすることにより、生体への影響を下げることが容易となる。
【００８１】
また、図６（ｃ）に示すように、照射部は、液状導光物３４の屈折率と比べて大きい屈折率の材料であることが好ましい。このようにすることにより、照射部が導光部を導かれてきた光を管の径方向Ｂに反射させ、光が直進する方向に透過しないように制御しやすくなり、光を管の径方向Ｂに正確に配光させることができるため、その先端部の位置の確認が容易となる。
【００８２】
また、管３６の内壁部は、該内壁部の先端３７側における屈折率が液状導光物３４の屈折率よりも大きいことが好ましい。このようにしても、管３６に液状導光物３４を注入することにより、導光部３３を導かれてきた光は、管３６の内壁部の先端３７側の、液状導光物３４よりも屈折率の大きい先端部３８で管３６の径方向Ｂに屈折する。そして、この光は、管３６の先端部３８を透過して体内に照射される。つまり、この液状導光物３４よりも屈折率の大きい部分は、光照射部として機能する。管３６の内壁部に反射されつつ液状導光物３４を伝ってきた光は、その管３６の先端部３８において、液状導光部３４から管３６に入射する角度θ１より小さい反射角度θ２で径方向Ｂに向かって屈折する。そのため、光を管３６の径方向Ｂに配光させることができるため、その先端部３８の位置の確認が容易となる。
【００８３】
上記実施形態に係る管先端位置確認装置１，１７は、経口摂取に用いられる供給管２に適用する例を説明したが、これに限定されるものではない。例えば、本発明の管先端位置確認装置は、輸血装置、気胸装置、透析システム、投薬装置等で体内に薬剤などの液状物を供給し又は導出するために設けられる管に適用してもよい。
【００８４】
上記実施形態に係る管先端位置確認装置１，１７は、光制御部１２が供給管２の径方向Ｂの全周方向の配光を有する例を説明したが、これに限定されるものではない。例えば、光制御部は、管の径方向Ｂに配光する角度を所定の角度に制限してもよい。このように、光制御部が管の径方向の配光角度を１８０度や９０度などの範囲に制限することにより、発光部が発光する光の強度を減らすことができ、若しくは、その光線の密度を配光する角度範囲に集中させることにより光量を増加させることができる。つまり、発光部が発光する光エネルギーを効率的に利用することができる。
【産業上の利用可能性】
【００８５】
本発明に係る管先端位置確認装置は、液状物を体内に供給し又は体外に導出する管の先端部の位置を確認するための管先端位置確認装置であって、体内に挿入される前記管の先端部まで導光する導光部と、前記導光部の先端側に設けられて体内で光を照射可能な照射部と、前記導光部に光を供給するために発光する発光部と、該発光部の発光を制御する制御部とを備える構成を有することによって、液状物を体内に供給し又は体外に導出する管の先端部の位置を容易に確認することを提供する用途にも適用することができる。
【符号の説明】
【００８６】
１  管先端位置確認装置
４  導光部
６  照射部
７  発光部
８  制御部
１２  光制御部
１３  操作部
１９  撮像装置
２１  撮影部
２３  記憶部
２４  選択部
２７  導光部
３２  反射層
３３  導光部
３４  液状導光部
【図１】
2013198644.tif 000003
【図２】
2013198644.tif 000004
【図３】
2013198644.tif 000005
【図４】
2013198644.tif 000006
【図５】
2013198644.tif 000007
【図６】
2013198644.tif 000008